(57)【要約】【課題】  収納容器内に蓄積された排泄物及び残渣を、従来よりも容易簡便で取捨場所に的確に排泄し清掃が行える人工肛門収納容器の提供。【解決手段】  収納容器に開口と排泄口を備えた物を用い、ストーマと注水器の接触損傷の防護手段を設け、排泄口先端に取捨誘導チューブを嵌合して排泄する人工肛門収納容器。【選択図】図１
2008012259.tif 000002
【特許請求の範囲】
【請求項１】
容器の中央にストーマ導入孔を形成しその周囲に装着剤が装備され人体に取り付けられる、袋体で上部に注水用開口と開閉手段及び排泄口を備えた人工肛門排泄物収納具において、ストーマと注水器の接触による損傷防護手段を設け、水応用の排泄物取捨を行うことを特徴とする人工肛門排泄物収納容器。
【請求項２】
２枚の樹脂シートの縁辺を接合して構成され、下部の排泄部に閉鎖具を備えた収納容器の、内１枚の排泄部先端を欠落して短縮し、長短の２枚が閉鎖具に従い容易に分離開口する請求項１記載の人工肛門排泄物収納容器。
【請求項３】
収納容器下端の排泄部を嵌合が可能な径をもつ、樹脂シート製管状排泄物取捨誘導のチューブを備えた請求項１及び２記載の人工肛門排泄物収納容器。
【発明の詳細な説明】
【技術分野】
【０００１】  従来の人工肛門排泄物収納容器は中央に拡径可能なストーマ導入孔を備え、導入孔の周囲に人体に装着する為の環状に塗布した貼着剤で人体に装着されている。
収納容器は２枚の柔軟性のプラスチックシートからなる袋体で、袋体でストーマ導入孔と排泄部を備えた単品系や、容器上部にリング状の凹凸嵌合で分割する２品系なと多種があり、機能及び形態は種々で有るが基本的に袋体容器が人体腹部に取り付けされているものである。
この人工肛門排泄物収納容器を使用する場合には、導入孔にストーマを挿入し人工肛門から排出される排泄物が排泄物収納容器に適当に溜ったところで、手で袋を絞り出すか又は２品系方式で嵌合を外し、取り付け具から分離し下部の排泄口の閉鎖具を取り外し開放してトイレに手で押し出して排泄するもので、排泄後排泄口を紙で清掃し再び口を閉鎖し取り付け具に戻し繰り返し使用することが販売説明となっている。
然し実際は、排泄結果が便質により想像を超えた汚濁の状況が残り、特に柔軟質便は手による絞り出しては完全な排泄は出来ず容器内に残留付着が甚だしく、又作業中に手の汚染が発生し販売説明の様には行かず、利用者の中には採用袋が分割系の場合に違反承知で排泄物入りの袋をゴミ採集に混入投棄を行う者も多く有る。通常の利用者は甚だしい残渣汚染に悪寒を懐きながら、忍耐して繰り返し再利用を行っている。
【発明の開示】
【発明が解決しようとする課題】
【０００２】  排泄物収納容器に蓄積された排泄物を排泄するには、排泄部の閉鎖具を外し先端を開口し排泄物を袋の上から押し出す手法が通常である。排泄物が固形の場合は袋に残渣は少量であるが、柔軟質の物は完全な押し出しは不可能で多くの残渣が袋に付着し、甚だ不潔感と悪寒を抱きながら再利用を繰り返しているものである。
又、排泄作業を男性が立姿のままトイレて行う場合に便器と排泄部とに距離間隔が発生し、排泄落差が大きく押し出し作業の的確な投棄に失敗し、トイレの汚染や手指に付着や人体及び衣服を汚す問題が多く発生している。
又、排泄部開口先端及び内側に付着している排泄物を拭き取るには、２枚重ねの筒状を上下に分離開口するには容易で無く、汚染覚悟の指先で分離し清掃する非常に望まず又手間のかかる問題があった。
本考案はこのような事情を改善し、蓄積している排泄物を簡単に除去と清掃が容易にできる人工肛門排泄物収納容器を提供するものである。
【課題を解決するための手段】
【０００３】  人工肛門排泄物収納容器の上部中央にストーマ導入孔が形成され、その周囲の人体面に取り付ける装着剤を装備した２枚のシートからなる、袋体で開口や排泄口を備えた排泄物収納容器を用い、開口から注水して容器内部壁を潤らし水の浸透で付着物の剥離を促し更に亦、内壁の水幕で滑りを与えて排泄物の落丁を起動し排泄口に流動を促進させるものであるが、注水行為が現状容器ではストーマと注水器先端が接触して損傷を起こす恐れが多大に有り、現状のまま万一ストーマが損傷すれば治癒は簡単では無く健全生活の難渋の発生も禁じ得ないもので、これの回避にストーマと注水口の間に接触防護壁となる、ストーマ直径を超えて覆う面を持ち一端を固定したシート片を設け防護部とするものである。【０００４】  人口肛門排泄物収納容器は、２枚を基礎とする樹脂製シート縁辺の熱処理で袋状に構成され、２枚の内１枚の先端を短縮に切り欠き２枚に長短を作り、長尺のシートに閉鎖用具を貼着する。排泄に当たり閉鎖具の左右両端を内側に圧迫すれば２枚は分離開口するので、容易に排泄物が排泄でき最後に長尺部に付着した残渣は水洗又は紙等により拭き取り清掃する。【０００５】  樹脂製シートで管筒状に形成され、排泄容器下部排泄部を嵌合できる径をもつ排泄物誘導チューブで排泄物を的確な場所に取捨し、清掃を援護し清潔に処理し常人及び高齢者でもセルフケアが可能な排泄物収納容器。
【発明の効果】
【０００６】  本発明の排泄物収納容器は、水を応用した排泄起動と取捨及び排泄口が上下に容易に開口し、排泄には取捨誘導チューブでトイレその他取捨目標場所に的確に投棄ができ、目標場所以外に飛散や手指や衣服の汚染が発生しない収納容器であり、更に注水作業で器具の先端が細心の注意を必要とする、ストーマと接触し損傷を生じ無いように接触防止の防護手段を設け安全を図った、清掃が簡便で残渣が無く清潔感を持って繰り返し利用できる排泄物収納容器である。
【発明を実施するための最良の形態】
【０００７】  本発明の実施の形態について、図面を参照しながら説明する。
【実施例】
【０００８】  図１は本発明の人工肛門排泄物収納容器の正面図である。
容器１は軟質の樹脂シート２ａ・２ｂで袋体に構成され、中央にストーマ導入孔３を形成しその周囲に皮膚保護剤を併せた装着環状接着剤部７で人体に取り付けられ、導入孔３の上辺に容器内に注水可能な開口と開閉手段６を備えた開口部５の有る容器１を採用し、ストーマ導入孔３の上辺に当たるシート２ａに注水器先端とストーマが接触して損傷することを防止するストーマ防護部４を設け、容器１下部に排泄口となる排泄部９を備え、排泄部９先端の２枚のシート２ａ・２ｂで構成する排泄口の内１枚２ｂを短縮８に欠落し、排泄部９先端に閉鎖具１０を貼着し排泄部９を閉鎖する。【０００９】  図２は排泄容器１の縦断面図である。
袋体を構成する２枚のシートは、使用時に人体に面する下層シート２ａと上層シート２ｂとに分かれ、上層シート２ｂは開閉手段の有る注水用開口部５を備え、人体面に貼着される下層シート２ａにはストーマ導入孔３とストーマ損傷防護部４が設けられ、容器１下端に閉鎖具１０が貼着されている。【００１０】  図３は容器１の排泄部９シート長短と閉鎖具位置の縦断面図。
排泄部９を構成する２枚のシート２ａ・２ｂの上層シート２ｂの先端を些少の欠落で短縮８して下層シート２ａと長短を設けるもので、同じ長さや小形切削の様式によると２枚が密着して開口の確認が判定し難く、手指による開口確認を余儀なくされ汚染を甘受することが多く有るので、これの回避に閉鎖具１０の誘導で上下に分離し２枚のシートの開口が即時に確認でき残渣の清掃も容易に出来る長短を設ける。
長短を持つ排泄部９下層シート２ａと上層シート２ｂの先端を考慮して重合した位置に、粘着剤が塗布された排泄口の幅より長大な粘着面１２を備えた閉鎖具１０を、下層シート２ａ裏面に貼着し、更に余裕を持つ粘着面１２の一端を上層シート２ｂ表面に折り曲げて貼着し、シート２ｂの付着同調と共に閉鎖巻戻り防止１４とする。【００１１】  図４は排泄口開口の正断面図である。
排泄部９先端に装着された閉鎖具１０の両端を指で内向に圧迫を行えば、閉鎖具１０は上下に分離し開口すると同時に、付着している上層シート２ｂは上方に折り曲げた閉鎖具１０の間隙に向って上に開き、下層シート２ａは圧力で下方に向い開口する。【００１２】  図５は閉鎖具の側断面図である。
閉鎖具１０は樹脂製半固体状材を用いた板状の物で、排泄部９上層シート２ｂ欠落の短縮８幅の倍幅を基凖サイズとした幅を持ち、排泄部９を取り巻き半折しても中央に空間が生じる長さを持ち表面に粘着部１２を備えた物である。
閉鎖を行う場合は両シート２ａ・２ｂを重ねた袋９全体を上部に３〜４回巻き上げ、巻戻り防止部１４を内向に折り曲げ閉鎖する。【００１３】  図６は排泄物取捨誘導チューブ斜視図である。
柔軟性樹脂製品で収納容器１排泄部９を嵌合可能な直径を持つ、樹脂製柔軟シートで管筒状１１に形成され１ｍ前後の適度の長さを持つ物で、排泄物取捨に当たり男性が立姿のまま作業すると排泄部９位置と取捨場所とに距離ができ、中空距離が取捨作業中の誤動作や失敗を逸散し目的場所へ的確な取捨が出来ず、場所や人体又は衣服等を汚染することが多く発生するのて、排泄部９と目的場所との間に誘導チューブ１１を用い誘導して的確な取捨を行うものである。
誘導チューブ１１を距離補足に用いるのみで無く、排泄部９に誘導チューブ１１を充分に嵌合すれば、排泄物取捨作業が容器１外部からの接触で直接排泄物に接触する事は無く、手指の汚染は全く発生せず安心して作業が行えるものである。
誘導チューブ１１は人工肛門患者で収納容器採用者が、寝たきり患者となった場合に行う取捨にも大変な便利を与えるものである。
誘導チューブ１１の長さは諸種状況により異なるので、１ｍで製作し置き状況により切断し使用する。シートは低廉で経済的に負担とは成らないものである。【００１４】  図７は排泄物収納容器と取捨誘導チューブの嵌合正面図。
収納容器１の排泄部９に排泄物取捨誘導チューブ１１を嵌合して、安全で完全な排泄を行うものである。【００１５】  一般的にパウチの装着者は装着を他人には秘匿して語らず、各種の悩みを保持し忍耐して居るものであるが、その悩みの問題点は排泄物の排泄が想像を越える難物で、収納袋から簡単容易に排泄が出来ず袋全体に残渣の付着が多く、排泄や取捨と単純表現で済むもので無く心理的に負担が多いもので、自己の排泄物と雖も甚だ悪感なもので有るが、仮に汚いからと言って容器に排泄物が入ったままトイレに取捨し水を流せば、必然的にトイレは詰まり汚い以上の難題が発生するので結果的に汚いまま装着を継続する事となっているものである。
従来の収納容器は排泄に当たりトイレに向い直接、高所から排泄作業を開始し汚物の飛散や衣服及び手指の汚染に悩みながら対処していた。排泄作業で大半が取捨されても袋内には多くの残渣が付着しているが、作業手段はより以上の取捨も清掃も不可能で残渣が付着し汚濁の容器を忍耐して再度繰り返し利用していた。【００１６】  本発明はこの難苦を一挙に解消するもので、収納袋内に水を与える事により袋内部壁に潤いによる滑りが発生し、排泄物は袋面の付着から剥離し流動が始まり排泄口に移動する、排泄口には取捨誘導チューブが嵌合装備されているので、高所から取捨しても的確にトイレに排泄され、袋外部からの接触作業なので手指や衣服の汚染は無く飛散の発生も無い。袋に付着する残渣は排泄部を再び閉鎖し洗浄の為の注水を行い袋を外部から撹拌すれば、壁面に付着した残渣は美麗に剥離し洗い流され、排泄口に落ちて来るので再び閉鎖を解き取捨すれば、従来に無い奇麗な収納容器として繰り返し利用できるもので、精神的にも経済的にも使用者には最大な幸運で有り革新的なものである。
【図面の簡単な説明】
【００１７】
【図１】  人工肛門用排泄物収納容器正面図。
【図２】  排泄物容器縦断面図。
【図３】  排泄部シート長短と閉鎖具位置の縦断面図。
【図４】  排泄開口の正断面図。
【図５】  閉鎖具の側断面図。
【図６】  排泄物取捨誘導チューブ斜視図。
【図７】  排泄物収納容器と取捨誘導チューブの嵌合正面図。
【符号の説明】
【００１８】  １    排泄物収納容器                １１    排泄物取捨誘導チューブ
２ａ  容器構成シート                １２    閉鎖具粘着部
２ｂ  容器構成シート                １３    排泄開口
３    ストーマ導入孔                １４    閉鎖巻戻り防止部
４    ストーマ防護手段
５    注水用開口部
６    開閉手段
７    装着環状接着剤部
８    排泄部シート長短
９    排泄部
１０    閉鎖具
【図１】
2008012259.tif 000003
【図２】
2008012259.tif 000004
【図３】
2008012259.tif 000005
【図４】
2008012259.tif 000006
【図５】
2008012259.tif 000007
【図６】
2008012259.tif 000008
【図７】
2008012259.tif 000009